(57)【要約】【課題】画像を表示可能な複数の端末が存在する場合にその都度再設定することなく複数の端末で画像を表示することが可能なモニタシステムの提供することを目的とする。【解決手段】カメラ装置１が、撮像開始のトリガとする事象を検知部１３により検知した場合に、この事象の検知をカメラ通信部１１により親機２へ通知し、親機２が、このカメラ装置１からの通知に基づいて、子機登録データベース２２に画像を表示可能な端末として登録された子機３ａ，３ｂを親機通信部２１により呼び出し、この呼び出しに対して応答した子機３ａが、撮像部１２により撮像された画像を子機通信部３１により取得して表示する。【選択図】図１
2005244446.tif 000002
【特許請求の範囲】
【請求項１】
カメラ装置と、親機と、複数の子機とを有するモニタシステムであって、
前記カメラ装置は、画像を撮像する撮像手段と、同撮像手段による撮像開始のトリガとする事象を検知する手段と、同手段による事象の検知を前記親機へ通知する手段とを備え、前記親機は、前記複数の子機を画像を表示可能な端末と表示不可能な端末とに区分して登録したデータベースと、前記カメラ装置からの通知に基づいて前記データベースに画像を表示可能な端末として登録された子機を呼び出す手段とを備え、
前記データベースに画像を表示可能な端末として登録された子機は、前記撮像手段により撮像された画像を取得して表示する手段を備えた
ことを特徴とするモニタシステム。
【請求項２】
前記親機は、前記カメラ装置からの通知に基づいて前記データベースに画像を表示不可能な端末として登録された子機に対してその旨を通知する手段を備えたことを特徴とする請求項１記載のモニタシステム。
【発明の詳細な説明】
【技術分野】
【０００１】
本発明は、カメラ装置により撮像した画像を他の装置により表示するモニタシステムに関する。
【背景技術】
【０００２】
従来のモニタシステムは、玄関の呼び出しボタンが押された場合に、カメラ装置を起動し、このカメラ装置により撮像した画像を特定の端末へ送信し、表示するものである。例えば特許文献１に記載のシステムでは、カメラ装置により撮像された画像は親機に送信され、親機の映像表示パネルによって表示される。また、特許文献２に記載のシステムでは、カメラ装置により撮像された画像はパーソナルコンピュータに装着された携帯端末に送信され、パーソナルコンピュータの画面上に表示される。
【特許文献１】特開平８−２８００７３号公報
【特許文献２】特開平１１−７４９７７号公報
【発明の開示】
【発明が解決しようとする課題】
【０００３】
特許文献１，２に記載のように、従来のモニタシステムでは、カメラ装置により撮像された画像の送信先の端末は、この画像を表示可能な送信先として予め設定された単一の端末のみに送信されるため、この指定された単一の端末でしか画像を確認することができない。したがって、ユーザがこの予め設定された端末以外で画像を確認したい場合には、画像を確認する端末として別の端末を再設定する必要があり、不便である。
【０００４】
そこで、本発明においては、画像を表示可能な複数の端末が存在する場合にその都度再設定することなく複数の端末で画像を表示することが可能なモニタシステムを提供することを目的とする。
【課題を解決するための手段】
【０００５】
上記課題を解決するため、本発明のモニタシステムは、カメラ装置が、撮像開始のトリガとする事象を検知した場合に、この事象の検知を親機へ通知し、親機が、このカメラ装置からの通知に基づいて、データベースに画像を表示可能な端末として登録された子機を呼び出し、子機が、この撮像された画像を取得して表示するように構成したものである。
【発明の効果】
【０００６】
本発明によれば、画像を表示可能な複数の端末としての子機が存在する場合にその都度再設定することなく複数の子機で画像を表示することが可能となる。
【発明を実施するための最良の形態】
【０００７】
本願の第１の発明は、カメラ装置と、親機と、複数の子機とを有するモニタシステムであって、カメラ装置は、画像を撮像する撮像手段と、撮像手段による撮像開始のトリガとする事象を検知する手段と、同手段による事象の検知を親機へ通知する手段とを備え、親機は、複数の子機を画像を表示可能な端末と表示不可能な端末とに区分して登録したデータベースと、カメラ装置からの通知に基づいてデータベースに画像を表示可能な端末として登録された子機を呼び出す手段とを備え、データベースに画像を表示可能な端末として登録された子機は、撮像手段により撮像された画像を表示する手段とを備えたことを特徴とするモニタシステムであり、カメラ装置が、撮像開始のトリガとする事象を検知した場合に、この事象の検知を親機へ通知し、親機が、このカメラ装置からの通知に基づいて、データベースに画像を表示可能な端末として登録された子機を呼び出し、子機が、この親
機からの呼び出しに応答し、撮像装置により撮像された画像を取得して表示する。これにより、画像を表示可能な複数の端末としての子機が存在する場合にその都度再設定することなく複数の子機で画像を表示することが可能となり、ユーザはどの子機からも画像を確認してその事象に対する適切な処置を行うことができる。
【０００８】
本願の第２の発明は、上記第１の発明において、親機は、カメラ装置からの通知に基づいてデータベースに画像を表示不可能な端末として登録された子機に対してその旨を通知する手段を備えたモニタシステムであり、カメラ装置が、撮像開始のトリガとする事象を検知した場合に、画像を表示不可能な子機に対してもその旨を通知することで、この画像を表示不可能な子機においてこの通知に基づく処理を行うことができる。これにより、画像を表示不可能な子機においても、撮像開始のトリガとする事象が発生したことをユーザが知ることができ、必要に応じて画像を表示可能な他の子機により画像を確認し、その事象が緊急性を有する場合にユーザは適切な処置を即座に行うことが可能となる。
【０００９】
以下、本発明の実施の形態について、図面を参照して説明する。
【００１０】
図１は本発明の実施の形態におけるモニタシステムの構成図である。
【００１１】
図１において、本発明の実施の形態におけるモニタシステムは、画像を撮像する撮像手段としてのカメラ装置１と、カメラ装置１と無線通信により接続可能な親機２と、カメラ装置１および親機２と無線通信により接続可能な複数の子機３ａ，３ｂ，３ｃとを有する。なお、本実施の形態においてカメラ装置１は親機２に対する子機の一つである。また、複数の子機３ａ〜３ｃのうち、カメラ装置１により撮像された画像を表示可能な端末は子機３ａ，３ｂとし、子機３ｃはカメラ装置１により撮像された画像を表示不可能な端末とする。
【００１２】
カメラ装置１は、親機２および子機３ａ〜３ｃと無線により通信するカメラ通信部１１と、画像を撮像する撮像部１２と、撮像部１２による撮像開始のトリガとする事象を検知する検知部１３と、各部１１〜１３およびカメラ装置１の全体を制御するカメラ制御部１４とを備える。
【００１３】
検知部１３は、例えば呼び出しボタン、人感センサ、音感センサや火災センサ等である。カメラ制御部１４は、このような検知部１３による事象の検知を親機２へ送信する。また、カメラ制御部１４は、親機２からの指示に基づいて、指定された子機３ａ〜３ｃに対し、撮像部１２により撮像した画像をカメラ通信部１１により送信する。
【００１４】
親機２は、カメラ装置１および子機３ａ〜３ｃと無線により通信する親機通信部２１と、カメラ装置１および複数の子機３ａ〜３ｃを登録した子機登録データベース２２と、各部２１，２２および親機２の全体を制御する親機制御部２３とを備える。
【００１５】
図２は子機登録データベース２２に登録される内容を示す図である。
【００１６】
図２に示すように、子機登録データベース２２には、カメラ装置１および複数の子機３ａ〜３ｃにそれぞれ付与された識別番号と、各種サービスの有無を示す情報と、端末種類を示す情報と、自社または他社端末であることを示す情報と、その他の情報とが登録されている。
【００１７】
各種サービスの有無を示す情報は、ビデオ機能の有無を第０ビットのフラグで示し、電話機能の有無を第１ビットのフラグで示している。ビデオ機能とはカメラ装置１により撮像した画像を表示する機能である。すなわち、カメラ装置１により撮像した画像を表示可
能な端末については第０ビットは“１”、表示不可能な端末については第０ビットは“０”である。また、電話機能とは親機２を介しての外線電話または親機２との間もしくは子機３ａ〜３ｃ同士間での内線電話を行う機能である。電話機能有りの端末については第１ビットは“１”、表示不可能な端末については第１ビットは“０”である。したがって、ビデオ機能および電話機能の両方を備える端末についてはビット“１１”により十進数で“３”、電話機能のみを備える端末についてはビット“１０”により十進数で“２”、両方の機能を備えない端末についてはビット“００”により十進数で“０”と示されている。
【００１８】
端末種類を示す情報は、端末が電話装置である場合には“１”、カメラ装置である場合には“２”で示されている。自社または他社端末であることを示す情報は、自社端末である場合には“１”、他社端末である場合には“２”で示される。
【００１９】
図２の例では、識別番号１，４がそれぞれカメラ装置１により撮像した画像を表示可能な電話端末としての子機３ａ，３ｂに相当し、番号２がカメラ装置１により撮像した画像を表示不可能な電話端末としての子機３ｃに相当し、番号３がカメラ装置１に相当する。
【００２０】
親機制御部２３は、カメラ装置１からの事象の検知の通知を受信した際、この子機登録データベース２２を参照することにより、画像を表示可能な端末として登録された子機を抽出し、この抽出した子機（本実施の形態においては子機３ａ，３ｂ）を親機通信部２１により呼び出す。
【００２１】
子機３ａは、カメラ装置１および親機２と通信する子機通信部３１と、画像を表示する表示部３２と、各部３１，３２および子機３ａ全体を制御する子機制御部３３とを備える。子機制御部３３は、親機２からの呼び出しに基づいてカメラ装置１から撮像部１２により撮像した画像を子機通信部３３により取得し、表示部３２に表示する。子機３ｂの構成については、図示を省略しているが、子機３ａと同様である。
【００２２】
上記構成のモニタシステムの動作について図３のフローチャートに従って説明する。図３は親機２の処理を示すフローチャートである。
【００２３】
まず、カメラ装置１は、検知部１３による監視状態にあり、検知部１３が所定の事象を検知すると、カメラ制御部１４は、この事象の検知の通知をカメラ通信部１１により親機２へ送信する。親機２は、このカメラ装置１からの事象の検知の通知を親機通信部２１により受信すると（ステップＳ１０１）、このカメラ装置１の撮像部１２により撮像した画像を表示可能な端末を子機登録データベース２２から検索し、この例では子機３ａ，３ｂを呼び出す（ステップＳ１０２）。
【００２４】
子機３ａ，３ｂは、親機２からの呼び出しを受けると、子機制御部３３がその旨を表示部３２に表示する。ここで、例えば子機３ａのユーザが子機３ａを操作することにより応答すると、子機制御部３３は、この応答を子機通信部３１を介して親機２へ送信する。親機２は、子機３ａからの応答を親機通信部２１により受信すると（ステップＳ１０３）、親機制御部２３が、この子機３ａからの応答に基づいてカメラ装置１と子機３ａとを接続する通知を親機通信部２１を介してカメラ装置１へ送信する（ステップＳ１０４）。
【００２５】
カメラ装置１は、この通知をカメラ通信部１１により親機２から受信した後、カメラ制御部１４が、撮像部１２により撮像した画像をカメラ通信部１１を介して子機３ａへ送信する。一方、子機３ａは、カメラ装置１から送信された画像を子機制御部３３が子機通信部３１により受信し、表示部３２へ表示する。
【００２６】
以上のように、本実施の形態におけるモニタシステムでは、カメラ装置１が、撮像開始のトリガとする事象を検知した場合に、この事象の検知を親機２へ通知し、親機２が、このカメラ装置１からの通知に基づいて、子機登録データベース２２に画像を表示可能な端末として登録された子機３ａ，３ｂを呼び出し、この呼び出しに対して応答した子機３ａが、この親機２からの呼び出しに基づいて撮像部１２により撮像された画像を取得して表示する。すなわち、画像を表示可能な複数の子機３ａ，３ｂと画像を表示不可能な子機３ｃとが混在する場合に、その都度再設定することなく、呼び出された子機３ａ，３ｂのうち応答した子機３ａ，３ｂにより画像を表示することが可能である。
【００２７】
なお、上記実施の形態においては、親機２は、画像を表示可能な子機３ａ，３ｂだけしか呼び出しを行わない構成であるが、親機２が、画像を表示不可能な端末として子機登録データベース２２に登録されている子機３ｃを呼び出す構成とすることも可能である。このとき、親機２は、子機３ｃに対してカメラ装置１からの通知に基づいて、通知があった旨を通知する。これにより、画像を表示不可能な子機３ｃのユーザは、撮像開始のトリガとする事象が発生したことを知ることができ、必要に応じて画像を表示可能な他の子機３ａ，３ｂにより画像を確認し、その事象が緊急性を有する場合には適切な処置を即座に行うことが可能となる。
【００２８】
なお、本実施の形態においては、カメラ装置１と親機２との接続および親機２と複数の子機３ａ〜３ｃとの接続を無線としているが、無線以外、例えば有線とすることも可能である。また、本実施の形態においては、子機３ａが親機２を介してカメラ装置１と通信を行うことにより、カメラ装置１から画像を取得しているが、直接カメラ装置１から取得する構成とすることも可能である。
【産業上の利用可能性】
【００２９】
本発明のモニタシステムは、カメラ装置により撮像した画像を他の装置により表示するシステムとして有用であり、特に画像を表示可能な複数の端末が存在する場合にその都度再設定することなく複数の端末で画像を表示することが可能なモニタシステムとして好適である。
【図面の簡単な説明】
【００３０】
【図１】本発明の実施の形態におけるモニタシステムの構成図
【図２】子機登録データベースに登録される内容を示す図
【図３】親機の処理を示すフローチャート
【符号の説明】
【００３１】
１    カメラ装置
２    親機
３ａ，３ｂ，３ｃ    子機
１１    カメラ通信部
１２    撮像部
１３    検知部
１４    カメラ制御部
２１    親機通信部
２２    子機登録データベース
２３    親機制御部
３１    子機通信部
３２    表示部
３３    子機制御部
【図１】
2005244446.tif 000003
【図２】
2005244446.tif 000004
【図３】
2005244446.tif 000005